(57)【要約】【課題】一度見た頁を再三見る場合も地図帳を迅速かつ簡単に見開きできるばかりか、所望の頁が変わっても簡単にその頁を変えることができ、しかも、地図帳が抜け落ちるといった危険性が全くない使い勝手の良い地図帳用カバーを提供する。【解決手段】透視可能な合成樹脂材により成形され、地図帳Ｂの表表紙ｂ２を覆う表表紙カバー部２と、前記地図帳Ｂの背表紙ｂ１を覆う背表紙カバー部１と、前記地図帳Ｂの裏表紙ｂ３を覆う裏表紙カバー部８とを備え、前記表表紙カバー部２または前記裏表紙カバー部８の少なくともいずれか一方にその内側面側へ折れ曲る折込片部４，１０を連設し、前記表表紙カバー部２及び前記裏表紙カバー部８の内側面にはそれぞれ前記表表紙ｂ２または前記裏表紙ｂ３が差し込まれる袋状部７，１３を設けた構成からなる。【選択図】図３
2005074793.tif 000002
【特許請求の範囲】
【請求項１】
透視可能な合成樹脂材により成形され、地図帳の表表紙を覆う表表紙カバー部と、前記地図帳の背表紙を覆う背表紙カバー部と、前記地図帳の裏表紙を覆う裏表紙カバー部とを備え、前記表表紙カバー部または前記裏表紙カバー部の少なくともいずれか一方にその内側面側へ折れ曲る折込片部を連設し、前記表表紙カバー部及び前記裏表紙カバー部の内側面にはそれぞれ前記表表紙または前記裏表紙が差し込まれる袋状部を設けたことを特徴とする地図帳用カバー。
【発明の詳細な説明】
【技術分野】
【０００１】
本発明は、地図帳に被着され各頁の地図を見るのに便利な地図帳用カバーに関するものである。
【背景技術】
【０００２】
一般に、荷物を輸送するトラックや観光バスの運転手は、見知らぬ目的地にも迷わず確実に行けるように運転席に何冊もの地図帳を置いて携えるようにしている。そして、走行途中に道が解らなくなり迷った場合などは途中で車を止め地図帳を開いて目的地への道筋を確認するようにしている。
【０００３】
しかしながら、通常は目的地への到着時間がだいたい決められていることから、地図帳を開きゆっくり見て調べている余裕は少なく、ほとんど交差点の信号機が赤を点灯してその手前で停車している間、または途中道の脇で一時駐車する間といった僅かな時間の間に調べているのが現状である。このため、一度開いて見た地図帳であってもその後所望の頁を再三見るときは、その都度頁を捲ってその頁を探さなければならず、必要以上に時間が掛かり面倒である。これに対し、しおりをその頁に差し込んでおく方法もあるが、この場合は指先をしおりの個所に差し込んで開けるようにしており、爪の間に頁の用紙が入り痛くて開けにくく、しかもしおりをいちいち外し手に持ちつつ地図帳を見るなどやはり邪魔になっている。
【０００４】
そこで、自然の状態で、見開いた状態および折り返した状態を保つことができるものとして、各頁がスパイラル綴じされ、しかも保護カバーとして透視可能なクリアケースに収納するようにした地図帳がある（特許文献１参照。）。
【特許文献１】実開平６−７６９６６号公報（第１−２頁、図１）
【発明の開示】
【発明が解決しようとする課題】
【０００５】
前記特許文献１の地図帳は、所望の頁を開きクリアケースに収納しておけば、いざというとき見易いが、所望の頁が変わると地図帳をクリアケースから抜き取り頁を変えた状態で再びクリアケースに収納し直さなければならず、やはり面倒で時間が掛かる。しかも、地図帳とクリアケースが別個に設けられていることから、ともするとクリアケースから地図帳が抜け落ちる危険性があり使い勝手が悪いという課題が有る。
【０００６】
そこで、本発明は上記課題を解決すべくなされたもので、一度見た頁を再三見る場合であっても地図帳を左右に開くのみで迅速かつ簡単に見開きできるばかりでなく、所望の頁が変わっても簡単に頁を変えることができ、しかも、地図帳と一体となって地図帳が抜け落ちるといった危険性が全くない極めて使い勝手の良い地図帳用カバーを提供することを目的とするものである。
【課題を解決するための手段】
【０００７】
かかる目的を達成するため本発明に係る地図帳用カバーは、透視可能な合成樹脂材により成形され、地図帳の表表紙を覆う表表紙カバー部と、前記地図帳の背表紙を覆う背表紙カバー部と、前記地図帳の裏表紙を覆う裏表紙カバー部とを備え、前記表表紙カバー部または前記裏表紙カバー部の少なくともいずれか一方にその内側面側へ折れ曲る折込片部を連設し、前記表表紙カバー部及び前記裏表紙カバー部の内側面にはそれぞれ前記表表紙または前記裏表紙が差し込まれる袋状部を設けた構成からなる。
【０００８】
また、地図帳用カバーが例えばポリプロピレンといった比較的硬い樹脂で成形されるときは、透視可能な合成樹脂材により成形され、地図帳の表表紙を覆う表表紙カバー部と、地図帳の背表紙を覆う背表紙カバー部と、地図帳の裏表紙を覆う裏表紙カバー部とを備え、前記表表紙カバー部及び前記裏表紙カバー部にその内側面側へ折れ曲る折込片部を連設し、また、前記表表紙カバー部とこれと連なる折込片部との間及び裏表紙カバー部とこれと連なる折込片部との間に地図帳の厚みのほぼ半分の横幅を有する襠部を介在させ、また表表紙カバー部及び裏表紙カバー部の内側面にはそれぞれ表表紙または裏表紙が差し込まれる袋状部を設けた構成が選ばれる。
【発明の効果】
【０００９】
本発明は、透視可能な合成樹脂材により成形されているので、地図帳の所望の頁に折込片部を差込んでおけば、一度見た頁をその後再三見る場合であっても地図帳を左右に開くのみで迅速かつ簡単に見開きできるばかりでなく、所望の頁が変わっても捲り易く簡単に頁を変えることができる。また、地図帳の表表紙と裏表紙が袋状部に差し込まれていることから、地図帳と地図帳用カバーとが常に一体をなし地図帳が地図帳用カバーから抜け落ちる危険性が全くなく使い勝手が極めて良いという効果を奏する。
【発明を実施するための最良の形態】
【００１０】
以下、本発明に係る地図帳用カバーの実施の形態について説明する。図１は本発明に係る地図帳用カバーの斜視図、図２は同展開平面図である。地図帳用カバーＡは、透視可能な合成樹脂材、例えばポリプロピレン、により成形され、後記するＡ４サイズの地図帳Ｂに被着できる大きさを有する。
【００１１】
地図帳用カバーＡは、図２に示すように中央に地図帳Ｂの背表紙ｂ１とほぼ同じ横幅を有する背表紙カバー部１が配置される。そして、その一側に表表紙ｂ２とほぼ同じ横幅を有する表表紙カバー部２が連設され、表表紙カバー部２の一側縁に地図帳Ｂの厚みのほぼ半分の横幅を有する襠部３が連設されている。また、襠部３の一側縁に地図帳Ｂの表表紙２の横幅より少し短い横幅を有する折込片部４が連設されている。前記表表紙カバー部２の内側面には表内側カバー部５が重合されると共に背表紙カバー部１側の側縁を差込口６として残し、周縁をウェルダー加工することにより溶着して袋状部７が成形される。これは地図帳Ｂの表表紙ｂ２を差し込み保持するためのものである。
【００１２】
同様に、前記背表紙カバー部１の他側に地図帳Ｂの裏表紙ｂ３とほぼ同じ横幅を有する裏表紙カバー部８が連設され、裏表紙カバー部８の一側に地図帳Ｂの厚みのほぼ半分の横幅を有する襠部９が連設されている。また、襠部９の一側に地図帳Ｂの裏表紙２より少し短い横幅を有する折込片部１０が連設されている。前記裏表紙カバー部８の内側面にも裏内側カバー部１１が重合されると共に背表紙カバー部１側の側縁を差込口１２として残し、周縁をウェルダー加工することにより溶着して袋状部１３が成形されている。
【００１３】
これにより、背表紙カバー部１の両側にそれぞれ表表紙カバー部２と裏表紙カバー部８が連設され、また、表表紙カバー部２と裏表紙カバー部８にそれぞれ襠部３，９が連設され、更に、各襠部３，９にそれぞれ折込片部４，１０が連設された地図帳用カバーＡが成形される。前記折込片部４，１０はあらかじめ内側へ折り曲げられた状態で成形されることが望ましい。
【００１４】
本発明の地図帳用カバーＡは上記構成からなり、図３に示すように地図帳Ｂの外側に地図帳用カバーＡを覆うようにして配置し、表表紙ｂ２を一方の差込口６を介して一方の袋状部７内に差し込む。そして、表側の折込片部４を内側へ折り曲げ表表紙ｂ２の内側面側に重ねておく。同様にして、裏表紙ｂ３を他方の差込口１２を介して他方の袋状部１３内に差し込み、裏側の折込片部１０を内側へ折り曲げ裏表紙ｂ３の内面側に重ねておく。なお、あらかじめ適宜頁間に各折込片部４，１０を差し込んでおいても良い。この場合、表・裏表紙カバー部２，８の一側縁にはそれぞれ地図帳Ｂの厚みのほぼ半分の横幅を有する襠部３，９が連設されていることから、折込片部４，１０が差し込まれた頁を開いたとき、各折込片部４，１０はほとんど紙面に接っしており浮くようなことがない。これは各折込片部４，１０を通しても地図帳Ｂの各頁が見易くなるようにするためである。
【００１５】
そして、トラックや観光バスの運転手は本発明に係る地図帳用カバーＡの付いた地図帳Ｂを常に携え、目的地に到着するまでに道が解らなくなり迷った場合、地図帳Ｂを取り出し図４に示すように所望の頁を開いて見る。そして、その頁間に各折込片部４，１０を挟んでおく。地図帳用カバーＡは透視可能であることから、見たい頁面に各折込片部４，１０が掛かっていても該各折込片部４，１０の上から透して地図を見ることはできる。
【００１６】
これにより、一旦地図帳Ｂを閉じ所定の位置に収納した後であっても、必要なときは地図帳Ｂを取り出してそのまま開ければ前記と同じ頁を迅速かつ簡単に見開くことができ、面倒な手間が全く掛からず自由な時間が僅かしか持てないの運転手にとっては都合が良い。しかも、何度でも同じ頁を見開くことができる。また、各折込片部４，１０は捲ったり閉じたりすることが自由であるから、他の頁に変えたい場合も各折込片部４，１０を捲るのみで簡単に頁が変えられる。
【００１７】
更に、表表紙ｂ２と裏表紙ｂ３とが共に各袋状部７，１３内に差し込まれ、地図帳Ｂが地図帳用カバーＡと一体になりしっかりと保持されるので、例えば背表紙ｂ１を上または横にして地図帳を引き上げても地図帳Ｂが地図帳用カバーＡから抜け落ちるといった危険性は全くない。
【００１８】
なお、本実施の形態にあっては表表紙カバー部２と裏表紙カバー部８の両方に折込片部４，１０を連設するようにしたがいずれか一方のみでも良い。また、各襠部３，９は地図帳用カバーＡが柔軟な合成樹脂材で成形される場合は設けなくても良い。更に、本発明の地図帳用カバーＡはＡ４サイズの地図帳Ｂに適用した場合を示したが、他の大きさの地図帳にも同様にして適用できること勿論である。
【図面の簡単な説明】
【００１９】
【図１】本発明に係る地図帳用カバーの斜視図。
【図２】同展開平面図。
【図３】同地図帳に被着した状態の斜視図。
【図４】同使用状態の斜視図。
【符号の説明】
【００２０】
１      背表紙カバー部
２      表表紙カバー部
３      襠部
４      折込片部
７      袋状部
８      裏表紙カバー部
９      襠部
１０    折込片部
１３    袋状部
Ａ      地図帳用カバー
Ｂ      地図帳
ｂ１    背表紙
ｂ２    表表紙
ｂ３    裏表紙
【図１】
2005074793.tif 000003
【図２】
2005074793.tif 000004
【図３】
2005074793.tif 000005
【図４】
2005074793.tif 000006